(57)【要約】【課題】熱交換器を空気調和機の室内ユニットに簡易な作業工程によって取り付けることができると共に、熱交換器の固定を安定し、熱交換器の浮きを無くし、熱交換器を固定する部分に応力が集中しないようにした空気調和機を提供する。【解決手段】冷媒と空気との熱交換で冷暖房用のエアを生成する熱交換器３が、内部に風路を形成する筐体１の前面部に取り付けられる空気調和機であって、筐体１には、その左右にそれぞれ壁板が設けられており、壁板３０には、取り付け穴１３が形成されており、壁板２０には、取り付け穴１１及びリブ９が形成されており、熱交換器３には、壁板３０の取り付け穴１３に係合する引っ掛け部１２を備えた左側板７と、壁板２０の取り付け穴１１に係合する引っ掛け部１０及びリブを受け入れて拘束するリブ用穴８を備えた右側板６とが設けられていることを特徴とする。【選択図】図１
2007120862.tif 000002
【特許請求の範囲】
【請求項１】
冷媒と空気との熱交換で冷暖房用のエアを生成する熱交換器が、内部に風路を形成する筐体の前面部に取り付けられる空気調和機であって、
前記筐体には、その左右にそれぞれ壁板が設けられており、
一方の壁板には、前記熱交換器を取り付ける穴部が形成されており、
他方の壁板には、前記熱交換器を取り付ける穴部及びリブが形成されており、
前記熱交換器には、前記一方の壁板に形成されている穴部に係合する引っ掛け部を備えた側板と、前記他方の壁板に形成されている穴部に係合する引っ掛け部及び前記リブを受け入れて拘束するリブ用穴を備えた側板とが設けられている
ことを特徴とする空気調和機。
【請求項２】
各壁板に形成されている前記熱交換器を取り付ける前記穴部を、前記各壁板の上部に形成した
ことを特徴とする請求項１に記載の空気調和機。
【請求項３】
前記熱交換器の各側板に形成した引っ掛け部が重力方向に引っ掛かるように前記筐体の各壁板の穴部を形成した
ことを特徴とする請求項１または２に記載の空気調和機。
【請求項４】
前記熱交換器で生成された冷暖房用のエアを室内に送り出すためのファンを備え、
前記ファンの軸が前記筐体の前記リブを有した前記他方の壁板に形成された軸用穴に挿入支持されたものであって、
前記リブを前記穴の近傍に形成した
ことを特徴とする請求項１〜３のいずれかに記載の空気調和機。
【請求項５】
前記一方の壁板には、前記ファンの軸を装着する凹部を設け、
該凹部に装着された前記ファンの軸を固定具により締め付け固定した
ことを特徴とする請求項１〜４のいずれかに記載の空気調和機。
【発明の詳細な説明】
【技術分野】
【０００１】
本発明は、空気調和機に関するものであり、特に空気調和機の室内ユニット内に簡易かつ強固に熱交換器を取り付けることのできる空気調和機に関するものである。
【背景技術】
【０００２】
近年、エアコン等の空気調和機が一般家庭にまで著しく普及しており、更なるコストの低下が望まれている。これは、空気調和機内の部品を少なくしたり、空気調和機が完成するまでの製造工程を減少させたりということによって実現できる。また、コストの低下と同時に、取り扱いが容易で、故障に強い空気調和機も要求されている。これは、空気調和機内に備える部品を改良し、それらの部品を強固に組み立てることによって実現できる。
【０００３】
そのようなものとして、たとえば、「空気調和機の本体ベースにブラケットを介して熱交換器を取り付ける空気調和機における熱交換器取り付け構造において、上記ブラケットの一端を上記熱交換器の側板に引っ掛ける引っ掛け方向と、同ブラケットの他端を上記本体ベースにネジを介して締め付け固定するネジ締め付け方向とを平行な方向に設定してなる」ことを特徴とする空気調和機における熱交換器取り付け構造が提案されている（たとえば、特許文献１参照）。
【０００４】
この空気調和機における熱交換器取り付け構造では、熱交換器の側面部を形成する部品（側板）を別の部品（ブラケット）を介して、ユニット筺体となるユニットベースに熱交換器を取り付けるようになっている。すなわち、熱交換器を取り付けるためのブラケットがユニットベースにネジで固定されており、そのブラケットに形成されている引っ掛け爪に熱交換器の側板に形成されている穴部を引っ掛けて熱交換器を取り付けるようになっている。
【０００５】
また、「空気調和機の吹出側前面パネルとその上方を区画する内壁とに、側部にＵ字管を有する熱交換器の上部を支持させる装置において、上記熱交換器を上記吹出側前面パネルの後方へ転倒すべくその底部を枢支すると共に、上記吹出側前面パネルに係止穴を形成し、該係止穴と上記熱交換器のＵ字管とに、それぞれ係合する一対の爪部を有すると共にこれら爪部の結合部を上記内壁面接するように形成した支持具を設けて、上記熱交換器の転倒方向への移動力で上記結合部を内壁面に弾接させて支持するように構成した」ことを特徴とする空気調和機の熱交換器支持装置が提案されている（たとえば、特許文献２参照）。
【０００６】
この空気調和機の熱交換器支持装置では、熱交換器の転倒方向への移動力を利用して熱交換器を支持するようになっている。すなわち、熱交換器を支持するための支持具に形成されている爪部を空気調和機の吹出側前面パネルに形成した係止穴に引っ掛けて、熱交換器を吹出側前面パネルの後方に転倒させ、その移動力によって支持具の結合部が内壁に押しつけられて熱交換器を支持するようになっている。
【０００７】
【特許文献１】特開平１０−３００１８５号公報（第３頁及び第１図）
【特許文献２】実開昭５８−１１６２１号公報（第１頁及び第１図）
【発明の開示】
【発明が解決しようとする課題】
【０００８】
特許文献１に記載の空気調和機における熱交換器取り付け構造は、熱交換器を取り付けるための部品（ブラケット）を介して固定している。そのために、その部品を製造・購入するためのコストが多くかかってしまったり、その部品を取り付けるための作業工程が多くなってしまったりするという問題があった。また、熱交換器を固定する部分に応力が集中してしまうために、破損し易いという問題もあった。さらに、熱交換器の上方が浮いてしまい、熱交換器を通常通らない空気が風路内へ侵入して着露が発生するという問題もあった。
【０００９】
特許文献２に記載の空気調和機の熱交換器支持装置は、特許文献１と同様に、熱交換器を取り付けるための部品（支持具）を介して固定している。そのために、上記のような問題が発生すると共に、熱交換器を内壁に弾接して固定するために、固定の強度が弱く、熱交換器が外れ易く、破損し易いといった問題もあった。なお、これらの問題を解決するための手段を講じようとすると、熱交換器以外の部品への影響・制限が大きくなってしまうという新たな問題が発生してしまっていた。
【００１０】
本発明は、以上のような問題を解決するためになされたもので、熱交換器を空気調和機の室内ユニットに簡易な作業工程によって固定することができると共に、熱交換器の固定を安定し、熱交換器の浮きを無くし、熱交換器を固定する部分に応力が集中しないようにした空気調和機を提供するものである。
【課題を解決するための手段】
【００１１】
本発明に係る空気調和機は、冷媒と空気との熱交換で冷暖房用のエアを生成する熱交換器が、内部に風路を形成する筐体の前面部に取り付けられる空気調和機であって、前記筐体には、その左右にそれぞれ壁板が設けられており、一方の壁板には、前記熱交換器を取り付ける穴部が形成されており、他方の壁板には、前記熱交換器を取り付ける穴部及びリブが形成されており、前記熱交換器には、前記一方の壁板に形成されている穴部に係合する引っ掛け部を備えた側板と、前記他方の壁板に形成されている穴部に係合する引っ掛け部及び前記リブを受け入れて拘束するリブ用穴を備えた側板とが設けられていることを特徴とする。
【発明の効果】
【００１２】
本発明に係る空気調和機は、冷媒と空気との熱交換で冷暖房用のエアを生成する熱交換器が、内部に風路を形成する筐体の前面部に取り付けられる空気調和機であって、前記筐体には、その左右にそれぞれ壁板が設けられており、一方の壁板には、前記熱交換器を取り付ける穴部が形成されており、他方の壁板には、前記熱交換器を取り付ける穴部及びリブが形成されており、前記熱交換器には、前記一方の壁板に形成されている穴部に係合する引っ掛け部を備えた側板と、前記他方の壁板に形成されている穴部に係合する引っ掛け部及び前記リブを受け入れて拘束するリブ用穴を備えた側板とが設けられているので、容易かつ強固に熱交換器を取り付けることができる。また、熱交換器を取り付けるための機能部品を新たに設けなくて済むので、製造コストの低減を図れる。
【発明を実施するための最良の形態】
【００１３】
以下、本発明の実施の形態を図面に基づいて説明する。
図１は、本発明の実施の形態に係る空気調和機を右側から見た場合の構成を示す右側組立斜視図である。図２は、本発明の実施の形態に係る空気調和機を左側から見た場合の構成を示す左側組立斜視図である。図１及び図２に基づいて、本発明の実施の形態に係る空気調和機の構成について説明する。
【００１４】
この実施の形態に係る空気調和機は、空気調和機の室内ユニットに熱交換器を簡易かつ強固に取り付ける熱交換器の取り付け構造に特徴を有するものである。この室内ユニット１００は、大きく分けて筺体１と、ファン２と、熱交換器３と、ノズル４と、前面パネル５とで構成されている。つまり、ファン２、熱交換器３及びノズル４が筐体１に取り付けられて室内の壁面に固定され、前面パネル５で覆われるようになっているのである。
【００１５】
筐体１は、内部に風路が形成されており、左右に壁板が設けられている。このうち、右側に設けられている壁板２０（一方の壁板）には、ファン２の駆動側の軸を挿入支持するための軸用穴２１が形成されている。また、右側の壁板２０には、熱交換器３の上下方向のがたつきを防止するためのリブ９が軸用穴２１の近傍に形成されている。さらに、右側の壁板２０には、熱交換器３を取り付けるための取り付け穴１１が上部に形成されている。
【００１６】
一方、左側に設けられている壁板３０（他方の壁板）には、ファン２を筐体１に装着固定するための軸受け用の凹部３１が形成されている。また、左側の壁板３０には、熱交換器３を取り付けるための取り付け穴１３が上部に形成されている。すなわち、ファン２の一方の軸を右側の壁板２０の軸用穴２１に挿入し、他方の軸を軸受３２を介し左側の壁板３０の凹部３１に嵌合し、熱交換器３の左側板７により押さえつける形で締め付けて固定されるようになっているのである。なお、締め付けは、ネジ等の固定具によって行うとよい。
【００１７】
ファン２は、熱交換器３で生成された冷暖房用のエアを室内に送り出す役目を果たす。熱交換器３は、筐体１の前面に配置されており、図示省略の室外ユニットから供給される冷媒と室内空気とを熱交換し、冷暖房用のエアを生成するためのものである。この熱交換器３の左右には、筐体１に取り付けられるための右側板６（側板）及び左側板７（側板）が設けられている。つまり、右側板６が筐体１の右側の壁板２０に取り付けられ、左側板７が筐体１の左側の壁板３０に取り付けられるようになっている。
【００１８】
また、右側板６の上部には筐体１に取り付けられるための引っ掛け部１０が、左側板７の上部には筐体１に取り付けられるための引っ掛け部１２がそれぞれ形成されている。この引っ掛け部１０及び引っ掛け部１２が、右側の壁板２０に形成されている取り付け穴１１及び左側の壁板３０に形成されている取り付け穴１３に引っ掛けるようにして、熱交換器３が筐体１に取り付けられる。
【００１９】
この引っ掛け部１０及び引っ掛け部１２は、重力方向に向かって掛かり代を有するようにカギ状またはひし形状で形成するとよい。それは、確実に、引っ掛け部１０及び引っ掛け部１２が右側の壁板２０の取り付け穴１１及び左側の壁板３０の取り付け穴１３に引っ掛かるようにするためにである。また、右側板６には、筐体１の右側の壁板２０に形成されているリブ９を嵌合するためのリブ用穴８が形成されている。つまり、熱交換器３は、上部が筐体１の取り付け穴１１及び取り付け穴１３に引っ掛けられ、更に筐体１のリブ９がリブ用穴８に嵌合されて取り付けられるようになっている。そして、左側板７をネジ等の固定具で締め付けることによって左側を固定するようになっている。
【００２０】
ノズル４は、熱交換器３の下方に配置されており、熱交換器３に着露する水滴を回収するドレンパンと一体として構成され、熱交換器３で生成された冷暖房用のエアを噴き出すための噴き出し部の上部風路を形成するようになっている。前面パネル５は、ファン２や熱交換器３、ノズル４等の構成部品を覆い、筐体１に取り付けられるようになっている。この前面パネル５の下方は、ノズル４の噴き出し部が露出するように開口されている。
【００２１】
図３は、室内ユニットを右側から見たときの断面を示す縦断面図である。図４は、室内ユニットを右側から見たときの熱交換器３の取り付け状態を示す拡大縦断面図である。図３及び図４に基づいて、熱交換器３の右側における取り付け方法及び取り付け状態の詳細について説明する。なお、図３及び図４は、室内ユニット１００が組み立てられた状態における構造を示している。
【００２２】
筐体１に取り付けられる熱交換器３は、まず、図４に示すように熱交換器３の右側板６に形成されている引っ掛け部１０が筐体１の右側の壁板２０に形成されている取り付け穴１１に引っ掛けられるようにして、熱交換器３の上部が筐体１に取り付けられる。したがって、容易に熱交換器３を筐体１に取り付けることが可能となる。それから、右側の壁板２０に形成されているリブ９が右側板６に形成されているリブ用穴８に嵌合される。このようにして、熱交換器３の上下方向のがたつきを防止している。
【００２３】
すなわち、右側板６の引っ掛け部１０を右側の壁板２０の取り付け穴１１に引っ掛け、リブ用穴８にリブ９を嵌合するように押し込むという簡易な組み立て作業によって、熱交換器３の右側を取り付けることができる。したがって、組み立てにかかる手間や新たな機能部品の製造・追加が要求されず、空気調和機の製造にかかるコストを更に低減することが可能となる。また、熱交換器３の取り外しも容易なので、空気調和機が設置された後に行われるような熱交換器３の交換や修理、メンテナンス等にも手間がかからない。
【００２４】
図５は、室内ユニットを左側から見たときの断面を示す縦断面図である。図６は、室内ユニットを左側から見たときの熱交換器３の取り付け状態を示す拡大縦断面図である。図５及び図６に基づいて、熱交換器３の左側の取り付け方法及び取り付け状態の詳細について説明する。つまり、熱交換器３の左側板７には、右側板６に形成されているリブ用穴８のような穴がなく、筐体１の左側の壁板３０には、右側の壁板２０に形成されているようなリブ９がないのである。
【００２５】
筐体１に取り付けられる熱交換器３は、まず、図６に示すように熱交換器３の左側板７に形成されている引っ掛け部１２が筐体１の左側の壁板３０に形成されている取り付け穴１３に引っ掛けられるようにして、熱交換器３の上部が筐体１に取り付けられる。ここまでは、右側の取り付け方と同様である。したがって、容易に熱交換器３を筐体１に取り付けることが可能となる。
【００２６】
そして、右側の壁板２０に形成されているリブ９が右側板６に形成されているリブ用穴８に嵌合された後に、図５に示すように左側で熱交換器３を固定するようになっているのである。つまり、熱交換器３は、熱交換器３の右側が支持された後に、筐体１の前面側よりもファン２の軸中心に合わせるようにして取り付け位置が決定され、固定されるようになっているのである。したがって、熱交換器３は、左右の上部が取り付けられた後に、右側で上下方向のがたつきを防止しつつ、ファン２の他方の軸を軸受３２を介し凹部３１に嵌合し、左側板７をネジ等の固定具で締め付けることによって左側が固定されるようになっている。
【００２７】
この実施の形態に係る空気調和機では、熱交換器３の右側板６を筐体１に簡易な作業で取り付けた後に、左側板７の配置を決定し固定するようになっている。したがって、熱交換器３を取り付けるための特別の作業工程を要することなく、容易に熱交換器３を取り付けて、固定することが可能となる。また、左側の壁板２０には熱交換器３を固定するためのリブが形成されておらず、熱交換器３の左側板７にはリブを嵌合するための穴が形成されていないので、更に空気調和機の製造コストを低減することを可能としている。
【００２８】
すなわち、引っ掛け部１０を取り付け穴１１に引っ掛け、リブ用穴８にリブ９を押し込み（右側の取り付け）、その後、引っ掛け部１２を取り付け穴１３に引っ掛け左側板７の配置を決めて、固定具で左側板７を固定するのである（左側の取り付け及び全体の固定）。したがって、簡易な組み立て作業によって、熱交換器３を取り付け及び固定できる。また、組み立てにかかる手間や新たな機能部品の製造・追加が要求されず、空気調和機の製造にかかるコストを更に低減することが可能となる。さらに、熱交換器３の取り外しも容易なので、空気調和機が設置された後に行われるような熱交換器３の交換や修理、メンテナンス等にも手間がかからない。
【００２９】
次に、熱交換器３の取り付け作業動作について説明する。
このように構成された空気調和機では、まず、筐体１にファン２を取り付けた後、熱交換器３の右側板６に形成されている引っ掛け部１０を筐体１の右側の壁板２０における取り付け穴１１に引っ掛けて熱交換器３の右側上部を取り付け、右側板６のファン２の軸中心近傍に形成されているリブ用穴８に右側の壁板２０のリブ９を装着することで熱交換器３の右側を支持する。その後、左側板７に形成されている引っ掛け部１２を左側の壁板３０の取り付け穴１３に引っ掛け、熱交換器３の左側板７を筐体１の前面側よりファン２の中心軸に合わせて配置し、固定具で熱交換器３の左側を固定する。
【００３０】
熱交換器３を固定した後は、熱交換器３の右側板６及び左側板７に形成した引っ掛け部１０及び引っ掛け部１２が、重力方向に引っ張られるので、熱交換器３の上下方向への移動（がたつき）を抑制することができる。つまり、熱交換器３の右側においては、右側板６のリブ用穴８と右側の壁板２０のリブ９との嵌合により熱交換器３の移動が制限され、また、左側においては、左側板７が筐体１のファン２の軸心近傍部に固定具により固定されて移動が制限される。したがって、左側板７の固定具を取り外さない限り、引っ掛け部１０及び引っ掛け部１２が外れることはない。
【００３１】
以上のように、熱交換器３を筺体１に固定するので、固定するための新たな機能部品を別に設けることなく、簡易に熱交換器３を取り付けることができるとともに、空気調和機の製造コストを低減することができる。また、複雑な構成にすることなく、熱交換器３を堅固に固定できる。さらに、熱交換器３の取り外しも容易なので、空気調和機が設置された後に行われるような熱交換器３の交換や修理、メンテナンス等にも手間がかからない。
【００３２】
一方、熱交換器３の上部においては、筺体１との隙間が発生しにくく、熱交換器３を通らずにファン２側の風路へ外気が侵入することを防止することができる。そのために、風路内において、熱交換器３を通過した低温・低湿の状態となった冷気と、高温・高湿の状態の外気とが混入することがなく、そのために発生する着露を防ぐこともできる。また、熱交換器３を上部と下部とで分割して固定するために、一つの固定部分に応力が集中しにくく、空気調和機の搬送中等に発生する可能性の高い荷崩れや落下等の予想外の負荷がかかっても各構成部品の破損を軽減することができる。
【図面の簡単な説明】
【００３３】
【図１】空気調和機を右側から見た場合の構成を示す右側組立斜視図である。
【図２】空気調和機を左側から見た場合の構成を示す左側組立斜視図である。
【図３】室内ユニットを右側から見たときの断面を示す縦断面図である。
【図４】室内ユニットを右側から見たときの熱交換器の取り付け状態を示す拡大縦断面図である。
【図５】室内ユニットを左側から見たときの断面を示す縦断面図である。
【図６】室内ユニットを左側から見たときの熱交換器の取り付け状態を示す拡大縦断面図である。
【符号の説明】
【００３４】
１  筐体、２  ファン、３  熱交換器、４  ノズル、５  前面パネル、６  右側板、７  左側板、８  リブ用穴、９  リブ、１０  引っ掛け部、１１  取り付け穴、１２  引っ掛け部、１３  取り付け穴、２０  壁板、２１  軸用穴、３０  壁板、３１  凹部、３２  軸受、１００  室内ユニット。
【図１】
2007120862.tif 000003
【図２】
2007120862.tif 000004
【図３】
2007120862.tif 000005
【図４】
2007120862.tif 000006
【図５】
2007120862.tif 000007
【図６】
2007120862.tif 000008